(57)【特許請求の範囲】
【請求項１】
低温液化ガスを気化させるとともに当該低温液化ガスの冷熱を回収するための冷熱回収用ガス気化器であって、
中間媒体を封入可能なケーシングと、
液相の中間媒体と熱源媒体とを熱交換させることにより当該中間媒体の少なくとも一部を蒸発させる中間媒体蒸発部と、
前記中間媒体蒸発部において前記蒸発した中間媒体と低温液化ガスとを熱交換させることにより当該低温液化ガスを気化させる低温液化ガス蒸発部と、
前記ケーシング内に配置されており、前記中間媒体と冷媒とを熱交換させることにより当該冷媒を冷却する冷媒冷却部と、を備える、冷熱回収用ガス気化器。
【請求項２】
請求項１に記載の冷熱回収用ガス気化器において、
前記冷媒冷却部は、前記ケーシング内のうち液相の中間媒体に浸る位置に配置されている、冷熱回収用ガス気化器。
【請求項３】
請求項２に記載の冷熱回収用ガス気化器において、
前記中間媒体蒸発部を前記液相の中間媒体に浸る位置に支持する支持部材をさらに備え、
前記支持部材は、前記冷媒冷却部を支持する冷媒冷却部支持部を有する、冷熱回収用ガス気化器。
【請求項４】
請求項１ないし３のいずれかに記載の冷熱回収用ガス気化器において、
前記冷媒冷却部は、前記ケーシング内において前記低温液化ガス蒸発部の下方に配置されており、かつ、前記低温液化ガス蒸発部を水平面に投影したときの投影面内に収まる形状を有している、冷熱回収用ガス気化器。
【請求項５】
請求項１ないし４のいずれかに記載の冷熱回収用ガス気化器と、
前記中間媒体蒸発部に前記熱源媒体を供給するための熱源媒体供給流路と、
前記低温液化ガス蒸発部に前記低温液化ガスを供給するための低温液化ガス供給流路と、
前記低温液化ガス蒸発部で気化した低温液化ガスを回収するための低温液化ガス回収流路と、
前記冷媒冷却部において前記中間媒体と熱交換することによって冷却された冷媒から冷熱を回収する冷熱回収回路と、を備える、冷熱回収機能付きガス気化装置。
【発明の詳細な説明】
【技術分野】
【０００１】
本発明は、冷熱回収用ガス気化器及びこれを用いた冷熱回収機能付きガス気化装置に関するものである。
【背景技術】
【０００２】
従来、液化天然ガス（ＬＮＧ）等の低温液化ガスを中間媒体（プロパン等）を用いて気化させるとともに、中間媒体を介して低温液化ガスの冷熱を回収する冷熱回収機能付きガス気化装置が知られている。例えば、特許文献１には、中間媒体を用いて低温液化ガスを気化させるガス気化器と、中間媒体流路と、中間媒体流路に設けられた循環ポンプと、冷媒が循環する冷媒循環回路と、中間媒体により冷媒を冷却する冷媒冷却用熱交換器と、を備える冷熱回収機能付きガス気化装置が開示されている。
【０００３】
ガス気化器は、ケーシングと、ケーシング内に充填された中間媒体と、液相の中間媒体と熱源媒体とを熱交換させることにより当該中間媒体の少なくとも一部を蒸発させる中間媒体蒸発用伝熱管と、気相の中間媒体と低温液化ガスとを熱交換させることにより当該低温液化ガスを気化させる低温液化ガス蒸発用伝熱管と、を有している。中間媒体蒸発用伝熱管は、ケーシング内のうち液相の中間媒体に浸る位置に配置されている。低温液化ガス蒸発用伝熱管は、ケーシング内のうち液相の中間媒体の液面よりも上方（気相の中間媒体が存在する空間）に配置されている。
【０００４】
中間媒体流路は、低温液化ガス蒸発用伝熱管で液化した中間媒体をケーシングの外部に取り出し、その中間媒体をケーシング内に戻す流路である。循環ポンプは、液相の中間媒体を中間媒体流路の下流側に向けて送る。
【０００５】
冷媒冷却用熱交換器は、中間媒体流路及び冷媒循環回路に接続されている。冷媒冷却用熱交換器は、ガス気化器のケーシングの外部に存在する中間媒体流路を流れる中間媒体と冷媒循環回路を循環する冷媒とを熱交換させることにより冷媒を冷却する。すなわち、低温液化ガスの冷熱は、中間媒体を介して冷媒によってケーシング外に設けられた冷媒冷却用熱交換器において回収される。
【先行技術文献】
【特許文献】
【０００６】
【特許文献１】特開２０１５−１０６８３号公報
【発明の概要】
【発明が解決しようとする課題】
【０００７】
上記特許文献１に記載される冷熱回収機能付きガス気化装置では、中間媒体を介して低温液化ガスの冷熱を回収するための設備として、中間媒体流路、循環ポンプ及び冷媒冷却用熱交換器が必要であり、しかもこれらはケーシングの外部に設けられており、構造が複雑である。このため、コストの低減が困難である。
【０００８】
本発明の目的は、簡単な構造により、低温液化ガスを気化させるとともに当該低温液化ガスの有する冷熱を回収することが可能な冷熱回収用ガス気化器及びこれを用いた冷熱回収機能付きガス気化装置を提供することである。
【課題を解決するための手段】
【０００９】
前記課題を解決する手段として、本発明は、低温液化ガスを気化させるとともに当該低温液化ガスの冷熱を回収するための冷熱回収用ガス気化器であって、中間媒体を封入可能なケーシングと、液相の中間媒体と熱源媒体とを熱交換させることにより当該中間媒体の少なくとも一部を蒸発させる中間媒体蒸発部と、前記中間媒体蒸発部において前記熱源媒体と熱交換することにより蒸発した気相の中間媒体と低温液化ガスとを熱交換させることにより当該低温液化ガスを気化させる低温液化ガス蒸発部と、前記ケーシング内に配置されており、前記中間媒体と冷媒とを熱交換させることにより当該冷媒を冷却する冷媒冷却部と、を備える、冷熱回収用ガス気化器を提供する。
【００１０】
本冷熱回収用ガス気化器では、冷媒を冷却する冷媒冷却部がケーシング内に配置されているので、換言すれば、中間媒体を介した冷媒による低温液化ガスの冷熱の回収がケーシング内において行われるので、従来のような設備、つまり、中間媒体を介して低温液化ガスの冷熱を回収するためにケーシング外に設けられた設備が不要となる。このため、冷媒冷却部に対して冷熱の利用機器（冷凍庫等）を含む冷熱回収回路を接続することにより、その利用機器において、中間媒体を介して冷媒が低温液化ガスから回収した冷熱を利用することができる。
【００１１】
本発明において、前記冷媒冷却部は、前記ケーシング内のうち液相の中間媒体に浸る位置に配置されてもよい。
【００１２】
この態様では、液相の中間媒体と冷媒との熱交換が行われる。具体的に、冷媒は、液相の中間媒体に気化熱を奪われることにより冷却される。つまり、冷媒と液相の中間媒体との間で中間媒体の潜熱を利用した熱交換が行われるので、中間媒体を介した冷媒による低温液化ガスの冷熱の回収効率が高まる。
【００１３】
この場合において、前記中間媒体蒸発部を前記液相の中間媒体に浸る位置に支持する支持部材をさらに備え、前記支持部材は、前記冷媒冷却部を支持する冷媒冷却部支持部を有することが好ましい。
【００１４】
このようにすれば、中間媒体蒸発部を液相の中間媒体に浸る位置に支持する支持部材を利用して冷媒冷却部も液相の中間媒体に浸る位置に支持することができる。
【００１５】
また、本発明において、前記冷媒冷却部は、前記ケーシング内において前記低温液化ガス蒸発部の下方に配置されており、かつ、前記低温液化ガス蒸発部を水平面に投影したときの投影面内に収まる形状を有していてもよい。
【００１６】
この態様では、少なくとも低温液化ガス蒸発部から滴下した液相の中間媒体と冷媒との熱交換が行われるので、中間媒体を介した冷媒による低温液化ガスの冷熱の回収効率が高まり、さらに、冷媒冷却部が低温液化ガス蒸発部の投影面内に収まる形状を有するので、ケーシングの大型化を回避することができる。
【００１７】
また、本発明は、前記中間媒体蒸発部に前記熱源媒体を供給するための熱源媒体供給流路と、前記低温液化ガス蒸発部に前記低温液化ガスを供給するための低温液化ガス供給流路と、前記低温液化ガス蒸発部で気化した低温液化ガスを回収するための低温液化ガス回収流路と、前記冷媒冷却部において前記中間媒体と熱交換することによって冷却された冷媒から冷熱を回収する冷熱回収回路と、を備える、冷熱回収機能付きガス気化装置を提供する。
【発明の効果】
【００１８】
以上のように、本発明によれば、簡単な構造により、低温液化ガスを気化させるとともに当該低温液化ガスの有する冷熱を回収することが可能な冷熱回収用ガス気化器及びこれを用いた冷熱回収機能付きガス気化装置を提供することができる。
【図面の簡単な説明】
【００１９】
【図１】本発明の一実施形態の冷熱回収用ガス気化器を備えた冷熱回収機能付きガス気化装置の構成の概略を示す図である。
【図２】冷熱回収用ガス気化器の断面図である。
【図３】中間媒体蒸発部及び冷媒冷却部の平面図である。
【図４】冷熱回収用ガス気化器の変形例の断面図である。
【図５】冷熱回収用ガス気化器の変形例の断面図である。
【発明を実施するための形態】
【００２０】
本発明の好ましい実施形態について、以下、図面を参照しながら説明する。
【００２１】
図１には、本発明の一実施形態の冷熱回収機能付きガス気化装置が示されている。本装置は、低温液化ガスである液化天然ガス（ＬＮＧ）を気化させることによって天然ガス（ＮＧ）を得るとともに、液化天然ガスの冷熱を回収可能な装置である。なお、本装置は、液化天然ガスに限らず、エチレン、液化酸素、液化窒素等の低温液化ガスを気化することも可能である。
【００２２】
本冷熱回収機能付きガス気化装置は、冷熱回収用ガス気化器１０と、熱源媒体供給流路３２と、熱源媒体排出流路３４と、低温液化ガス供給流路３６と、低温液化ガス回収流路３８と、冷熱回収回路４０と、を有している。
【００２３】
冷熱回収用ガス気化器１０は、低温液化ガスを気化させるとともに当該低温液化ガスの冷熱を回収するための機器である。この冷熱回収用ガス気化器１０は、ケーシング１２と、中間媒体１４と、中間媒体蒸発部Ｅ１と、低温液化ガス蒸発部Ｅ２と、冷媒冷却部Ｅ４と、を有している。つまり、この冷熱回収用ガス気化器１０は、中間媒体式の気化器である。本実施形態では、中間媒体１４としてプロパンが用いられている。ただし、中間媒体１４は、プロパンに限られない。中間媒体１４は、常温で蒸発し、かつ、常用の温度（低温）で固化しないもの（大気の温度よりも沸点の低い媒体）であればよい。例えば、中間媒体１４として、プロパン以外に、プロピレンや代替フロンが用いられてもよい。
【００２４】
ケーシング１２は、中間媒体１４を封入可能な形状を有する。ケーシング１２内には、中間媒体蒸発部Ｅ１、低温液化ガス蒸発部Ｅ２及び冷媒冷却部Ｅ４が配置されている。本実施形態では、ケーシング１２は、円筒状の胴部１２ａと、胴部１２ａの軸方向の両端に接続された円板状の側板１２ｂと、を有している。このケーシング１２内に、中間媒体１４が封入される。
【００２５】
中間媒体蒸発部Ｅ１は、ケーシング１２内において液相の中間媒体１４と熱源媒体とを熱交換させることにより中間媒体１４の少なくとも一部を蒸発させる。図１及び図２に示されるように、中間媒体蒸発部Ｅ１は、ケーシング１２内のうち液相の中間媒体１４に浸る位置に配置されている。具体的に、中間媒体蒸発部Ｅ１は、ケーシング１２の中心よりも下方に配置されている。本実施形態では、中間媒体蒸発部Ｅ１は、複数の伝熱管を有している。中間媒体蒸発部Ｅ１の一端１６ａ及び他端１６ｂは、ケーシング１２外に位置している。なお、図２には、複数の伝熱管の束の外形が示されている。
【００２６】
中間媒体蒸発部Ｅ１の一端１６ａは、中間媒体蒸発部Ｅ１内に熱源媒体を供給するための熱源媒体供給流路３２の接続端部３２ａに接続されており、中間媒体蒸発部Ｅ１の他端１６ｂは、中間媒体蒸発部Ｅ１から熱源媒体を排出するための熱源媒体排出流路３４の接続端部３４ａに接続されている。熱源媒体供給流路３２には、熱源媒体ポンプ３３が設けられている。熱源媒体ポンプ３３が駆動されることにより、熱源媒体供給流路３２を通じて熱源媒体が中間媒体蒸発部Ｅ１に供給され、当該中間媒体蒸発部Ｅ１において液相の中間媒体１４と熱交換することにより冷却された熱源媒体は、熱源媒体排出流路３４から排出される。本実施形態では、熱源媒体として海水が用いられている。ただし、熱源媒体は、海水に限られない。
【００２７】
熱源媒体排出流路３４には、開閉弁Ｖ１が設けられている。この開閉弁Ｖ１の開度は、調整部１３により調整される。調整部１３は、ケーシング１２内の圧力（ケーシング１２に設けられた圧力センサ１３ａの検出値）が所定範囲内に維持されるように開閉弁Ｖ１の開度を調整する。なお、調整部１３は、圧力センサ１３ａの検出値が所定範囲内に維持されるように、開閉弁Ｖ１の開度ではなく熱源媒体ポンプ３３の回転数を調整してもよい。また、調整部１３は、ケーシング１２内の温度が所定範囲内に維持されるように開閉弁Ｖ１の開度を調整してもよい。この場合、ケーシング１２には、圧力センサ１３ａに代えて温度センサが設けられ、調整部１３は、その温度センサの検出値に基づいて開閉弁Ｖ１の開度を調整する。
【００２８】
図２に示されるように、本実施形態では、中間媒体蒸発部Ｅ１は、支持部材１７に支持されている。支持部材１７は、中間媒体蒸発部Ｅ１を液相の中間媒体１４に浸る位置に支持する。支持部材１７は、それぞれが平板材からなり伝熱管の延びる方向に間隔を置いて配置された複数の支持板を有している。支持部材１７（各支持板）は、ケーシング１２の胴部１２ａの内周面に固定されている。支持部材１７（各支持板）には、中間媒体蒸発部Ｅ１を構成する各伝熱管を挿通可能な複数の挿通孔が形成されている。
【００２９】
低温液化ガス蒸発部Ｅ２は、ケーシング１２内において、中間媒体蒸発部Ｅ１で熱源媒体と熱交換することにより蒸発した気相の中間媒体１４と低温液化ガスとを熱交換させることにより当該低温液化ガスを気化させる。詳細には、低温液化ガスは、低温液化ガス蒸発部Ｅ２において、気相の中間媒体１４の凝縮熱の供給を受けることにより気化する。図１及び図２に示されるように、低温液化ガス蒸発部Ｅ２は、ケーシング１２内のうち液相の中間媒体１４の液面よりも上方（気相の中間媒体１４が存在する空間）に配置されている。具体的に、低温液化ガス蒸発部Ｅ２は、ケーシング１２の中心よりも上方に配置されている。本実施形態では、低温液化ガス蒸発部Ｅ２は、複数の伝熱管により構成されている。低温液化ガス蒸発部Ｅ２の一端１８ａ及び他端１８ｂは、ケーシング１２外に位置している。なお、図２には、複数の伝熱管の束の外形が示されている。
【００３０】
低温液化ガス蒸発部Ｅ２の一端１８ａは、低温液化ガス蒸発部Ｅ２内に低温液化ガスを供給するための低温液化ガス供給流路３６の接続端部３６ａに接続されており、低温液化ガス蒸発部Ｅ２の他端１８ｂは、低温液化ガス蒸発部Ｅ２において気化したガスを回収するための低温液化ガス回収流路３８の接続端部３８ａに接続されている。つまり、低温液化ガス供給流路３６を通じて低温液化ガスが低温液化ガス蒸発部Ｅ２に供給され、当該低温液化ガス蒸発部Ｅ２において気相の中間媒体１４と熱交換することにより気化した低温液化ガスは、低温液化ガス回収流路３８を通じて回収される。
【００３１】
低温液化ガス供給流路３６には、流量調整弁Ｖ２が設けられている。この流量調整弁Ｖ２の開度は、調整部３７により調整される。調整部３７は、低温液化ガス供給流路３６を流れる低温液化ガスの流量（低温液化ガス供給流路３６に設けられた流量センサ３７ａの検出値）に基づいて流量調整弁Ｖ２の開度を調整する。
【００３２】
低温液化ガス回収流路３８には、低温液化ガス蒸発部Ｅ２から流出した低温液化ガスと熱源媒体とを熱交換させることにより低温液化ガスを加熱（加温）する熱交換器Ｅ３が設けられている。本実施形態では、熱交換器Ｅ３に供給される熱源媒体として海水が用いられている。ただし、この熱源媒体は、海水に限られない。なお、熱交換器Ｅ３に供給される熱源媒体として、熱源媒体供給流路３２を流れる熱源媒体から一部分岐したものが用いられてもよい。なお、熱源媒体温度が高いとき熱交換器Ｅ３は、省略されてもよい。
【００３３】
冷媒冷却部Ｅ４は、ケーシング１２内において中間媒体１４と冷媒とを熱交換させることにより当該冷媒を冷却する。図１及び図２に示されるように、本実施形態では、冷媒冷却部Ｅ４は、ケーシング１２内のうち液相の中間媒体１４に浸る位置（ケーシング１２の中心よりも下方）に配置されている。このため、冷媒冷却部Ｅ４では、液相の中間媒体１４と冷媒との熱交換が行われる。詳細には、冷媒冷却部Ｅ４において、冷媒は、液相の中間媒体１４に気化熱を奪われることにより冷却される。つまり、冷媒と液相の中間媒体１４との間で中間媒体の潜熱を利用した熱交換が行われる。本実施形態では、冷媒として、ブラインが用いられている。ただし、冷媒は、ブラインに限られない。
【００３４】
図２に示されるように、冷媒冷却部Ｅ４は、支持部材１７の冷媒冷却部支持部１７ａに支持されている。冷媒冷却部支持部１７ａは、冷媒冷却部Ｅ４を中間媒体蒸発部Ｅ１よりも上方でかつ液相の中間媒体１４に浸る位置に支持する。冷媒冷却部支持部１７ａは、支持部材１７のうち中間媒体蒸発部Ｅ１を支持する部位の上端から上方に突出する形状を有しており、冷媒冷却部Ｅ４を下方から支持する。
【００３５】
図３に示されるように、冷媒冷却部Ｅ４は、複数の伝熱管２２と、各伝熱管２２に冷媒を分配させる第１ヘッダ２３と、各伝熱管２２を通過した冷媒を合流させる第２ヘッダ２４と、を有している。第１ヘッダ２３の流入端部２３ａ及び第２ヘッダ２４の流出端部２４ａは、ケーシング１２外に位置している。
【００３６】
冷熱回収回路４０は、冷媒冷却部Ｅ４において中間媒体１４と熱交換することによって冷却された冷媒から冷熱を回収する回路である。冷熱回収回路４０は、冷熱回収部４２と、冷媒循環流路４４と、を有する。
【００３７】
冷熱回収部４２は、冷媒が回収した冷熱を利用する機器（冷凍庫等）内に配置される。冷熱回収部４２として、例えば、前記機器内に配置された熱交換器が挙げられる。
【００３８】
冷媒循環流路４４は、冷媒冷却部Ｅ４と冷熱回収部４２との間で冷媒が循環するように冷媒冷却部Ｅ４と冷熱回収部４２とを接続している。具体的に、冷媒循環流路４４の第１接続端部４４ａは、第１ヘッダ２３の流入端部２３ａに接続されており、冷媒循環流路４４の第２接続端部４４ｂは、第２ヘッダ２４の流出端部２４ａに接続されている。この冷媒循環流路４４には、冷熱回収部４２から流出した冷媒を冷媒冷却部Ｅ４に送る冷媒ポンプ４６が設けられている。また、冷媒循環流路４４のうち冷媒冷却部Ｅ４の下流側でかつ冷熱回収部４２の上流側の部位には、流量調整弁Ｖ３が設けられている。この流量調整弁Ｖ３の開度は、調整部４７により調整される。調整部４７は、前記冷熱の利用機器内の温度（当該利用機器に設けられた温度センサ４７ａの検出値）が所定範囲内に収まるように流量調整弁Ｖ３の開度を調整する。また、調整部４７は、冷媒循環流路４４に設けられた流量センサ４７ｂの検出値に基づいて流量調整弁Ｖ３の開度を微調整する。
【００３９】
本実施形態では、冷媒循環流路４４には、冷媒冷却部Ｅ４をバイパスするバイパス流路４８が設けられている。このバイパス流路４８の下流側の端部と冷媒循環流路４４との接続部には、三方弁Ｖ４が設けられている。三方弁Ｖ４は、冷媒循環流路４４からバイパス流路４８への冷媒の流入量を調整可能である。この三方弁Ｖ４の開度は、調整部４９により調整される。調整部４９は、冷熱回収部４２の上流側の冷媒の温度（冷媒循環流路４４のうち冷媒冷却部Ｅ４と冷熱回収部４２との間の部位に設けられた温度センサ４９ａの検出値）が一定範囲内に収まるように三方弁Ｖ４の開度（冷媒循環流路４４からバイパス流路４８への冷媒の流入量）を調整する。具体的に、冷媒循環流路４４からバイパス流路４８への冷媒の流入量を増加させると、冷媒の冷媒冷却部Ｅ４での冷却量が減少するので、温度センサ４９ａの検出値が増加し、逆に、冷媒循環流路４４からバイパス流路４８への冷媒の流入量を減少させると、冷媒の冷媒冷却部Ｅ４での冷却量が増加するので、温度センサ４９ａの検出値が低下する。
【００４０】
以上に説明したように、本実施形態の冷熱回収用ガス気化器１０では、冷媒を冷却する冷媒冷却部Ｅ４がケーシング１２内に配置されている。このため、中間媒体１４を介した冷媒による低温液化ガスの冷熱の回収がケーシング１２内において行われる。したがって、従来のような設備、つまり、中間媒体１４を介して低温液化ガスの冷熱を回収するためにケーシング１２外に設けられた設備が不要となる。よって、冷媒冷却部Ｅ４に対して冷熱の利用機器（冷凍庫等）を含む冷熱回収回路４０を接続することにより、その利用機器内の冷熱回収部４２において、中間媒体１４を介して冷媒が低温液化ガスから回収した冷熱を利用することができる。
【００４１】
また、本実施形態では、冷媒冷却部Ｅ４がケーシング１２内のうち液相の中間媒体１４に浸る位置に配置されているので、冷媒冷却部Ｅ４において、液相の中間媒体１４と冷媒との熱交換が行われる。具体的に、冷媒は、液相の中間媒体１４に気化熱を奪われることにより冷却される。つまり、冷媒と液相の中間媒体１４との間で中間媒体の潜熱を利用した熱交換が行われるので、中間媒体１４を介した冷媒による低温液化ガスの冷熱の回収効率が高まる。
【００４２】
また、本実施形態では、中間媒体蒸発部Ｅ１を支持する支持部材１７は、冷媒冷却部Ｅ４を支持する冷媒冷却部支持部１７ａを有している。このため、中間媒体蒸発部Ｅ１を液相の中間媒体１４に浸る位置に支持する支持部材１７を利用して冷媒冷却部Ｅ４をも液相の中間媒体１４に浸る位置に支持することができる。
【００４３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４４】
例えば、図４に示されるように、冷媒冷却部支持部１７ａは、冷媒冷却部Ｅ４が低温液化ガス蒸発部Ｅ２の下方でかつ液相の中間媒体１４の液面よりも上方に位置するように当該冷媒冷却部Ｅ４を支持してもよい。この場合、冷媒冷却部Ｅ４は、低温液化ガス蒸発部Ｅ２を水平面に投影したときの投影面内に収まる形状に形成されることが好ましい。この態様では、低温液化ガス蒸発部Ｅ２から滴下した液相の中間媒体１４と冷媒との間で中間媒体の潜熱を利用した熱交換が行われるとともに、液相の中間媒体１４の液面よりも上方に存在する気相の中間媒体１４と冷媒との間で顕熱を利用した熱交換が行われる。このため、中間媒体１４を介した冷媒による低温液化ガスの冷熱の回収効率が高まり、さらに、冷媒冷却部Ｅ４が低温液化ガス蒸発部Ｅ２の投影面内に収まる形状を有するので、ケーシング１２の大径化を回避することができる。
【００４５】
あるいは、図５に示されるように、冷媒冷却部Ｅ４は、低温液化ガス蒸発部Ｅ２と水平方向に重なる位置に配置されていてもよい。例えば、冷媒冷却部Ｅ４は、冷媒冷却部Ｅ４を低温液化ガス蒸発部Ｅ２と水平方向に重なる位置に支持可能な支持台１７ｂ上に固定される。この態様では、液相の中間媒体１４の液面よりも上方に存在する気相の中間媒体１４と冷媒との間で顕熱を利用した熱交換が行われる。そして、この態様では、冷媒と気相の中間媒体との間で中間媒体の顕熱を利用した熱交換が行われるので冷熱の回収効率は低くなるが、冷媒冷却部Ｅ４と低温液化ガス蒸発部Ｅ２とが鉛直方向に重なる場合に比べて、鉛直方向における各熱交換部（低温液化ガス蒸発部、中間媒体蒸発部、冷媒冷却部）の干渉有無のチェックの必要がない。
【００４６】
また、冷媒冷却部Ｅ４のケーシング１２内に位置は、冷媒冷却部支持部１７ａや支持台１７ｂにより規定されるものに限られない。冷媒冷却部Ｅ４のケーシング１２内の位置は、当該冷媒冷却部Ｅ４がケーシング１２の胴部１２ａの内周面に溶接等により固定されることにより規定されてもよい。
【符号の説明】
【００４７】
１０    冷熱回収用ガス気化器
１２    ケーシング
１４    中間媒体
１７    支持部材
１７ａ  冷媒冷却部支持部
３２    熱源媒体供給流路
３４    熱源媒体排出流路
３６    低温液化ガス供給流路
３８    低温液化ガス回収流路
４０    冷熱回収回路
４２    冷熱回収部
４４    冷媒循環流路
Ｅ１    中間媒体蒸発部
Ｅ２    低温液化ガス蒸発部
Ｅ４    冷媒冷却部
【図１】
0006419629.tif 000002
【図２】
0006419629.tif 000003
【図３】
0006419629.tif 000004
【図４】
0006419629.tif 000005
【図５】
0006419629.tif 000006